(57)【要約】【課題】洗浄槽の開口部を開閉する蓋体内に電線を挿入して制御手段などに接続する食器洗い機において、食器を出し入れするため蓋体を開閉することにより発生する電線の屈曲時の負荷を低減できるようにし、電線の信頼性を確保し、信頼性の高い食器洗い機を提供する。【解決手段】食器３等を出し入れする開口部を有する洗浄槽１４の開口部を蓋体１３により開閉し、電線１９を接続した制御手段１８により洗浄槽１４における運転動作を制御する。電線１９は蓋体１３の開閉時に、その屈曲方向に負荷がかからない方向に配設する。【選択図】  図１
2004321464.tif 000002
【特許請求の範囲】
【請求項１】
食器等を出し入れする開口部を有する洗浄槽と、前記開口部を開閉する蓋体と、前記洗浄槽における運転動作を制御する制御手段と、この制御手段に接続された電線とを備え、前記電線は前記蓋体の開閉時に、その屈曲方向に負荷がかからない方向に配設した食器洗い機。
【請求項２】
食器等を出し入れする開口部を有する洗浄槽と、前記開口部を開閉する蓋体と、この蓋体内に設けた制御手段と、前記洗浄槽の下部に設けた洗浄ポンプ等の電装部品と、前記制御手段と前記電装部品を接続する電線とを備え、前記電線はその一部が前記蓋体の回転中心軸線上またはその近傍で回転中心軸線方向に長く配設した食器洗い機。
【請求項３】
食器等を出し入れする開口部を有する洗浄槽と、前記開口部を開閉する蓋体と、この蓋体内に設けた操作用制御手段と、前記洗浄槽の下部に設けた運転制御用制御手段と、前記操作用制御手段と前記運転制御用制御手段を接続する電線とを備え、前記電線はその一部が前記蓋体の回転中心軸線上またはその近傍で回転中心軸線方向に長く配設した食器洗い機。
【請求項４】
蓋体は、係止構造を解除することで、ばね材の付勢力等を利用して開放する構成とした請求項１〜３のいずれか１項に記載の食器洗い機。
【請求項５】
蓋体は、特定部位の牽引動作によって開放する構成とした請求項１〜３のいずれか１項に記載の食器洗い機。
【発明の詳細な説明】
【０００１】
【発明の属する技術分野】
本発明は、洗浄槽の開口部を開閉する蓋体内に電線を挿入して制御手段などに接続する食器洗い機に関する。
【０００２】
【従来の技術】
近年、洗浄槽内で回転する洗浄ポンプから噴射される洗浄水によって食器かごに収納された食器を洗浄する食器洗い機が主流となっている。
【０００３】
従来、この種の食器洗い機は図４に示すように構成していた。以下、その構成について説明する。
【０００４】
図４に示すように、洗浄槽１は前方に開口部２を有するとともに、食器３を入れる食器かご４を前後方向に移動可能に支持している。開口部２はその下方の一辺と平行な回転中心軸線を有する蓋体５によって開閉される。洗浄槽１の底部には洗浄水を噴射する洗浄ポンプ６を回転自在に設け、洗浄槽１の底部に設けた排水口７および洗浄槽１の下方に配置した洗浄ポンプ８と配管部９を介して接続している。洗浄ポンプ８をはじめとする各電装部品は、蓋体５の回転中心線軸に対して略垂直方向に配設した電線１０を介して、蓋体５内に設けた制御手段１１に連結しており、各電装部品の動作は制御手段１１によって制御している。
【０００５】
洗浄槽１内の洗浄水はヒータ１２によって温水化され、洗浄ポンプ８にて排水口７から吸い込まれ、洗浄ポンプ６に圧送される。洗浄ポンプ６より勢いよく噴射される洗浄水によって、食器かご４に収納された食器３を洗浄するように構成している（例えば、特許文献１参照）。
【０００６】
【特許文献１】
特開平１１−２０６６６８号公報
【０００７】
【発明が解決しようとする課題】
このような従来の食器洗い機においては、食器３を出し入れする場合、蓋体５を垂直方向から水平方向へ開いて、蓋体５上に食器かご４を引き出して行う。
【０００８】
この構成の場合、蓋体５を開閉するとともに電線１０が回転中心軸線近傍にて屈曲動作をする。蓋体５は約９０度の範囲で開閉するため、電線１０も同様に約９０度の範囲で一定の箇所が屈曲を繰り返すことになり、電線１０が劣化し、電線１０の信頼性を著しく低下させる。
【０００９】
本発明は上記課題を解決するもので、食器を出し入れするため蓋体を開閉することにより発生する電線の屈曲時の負荷を低減できるようにし、電線の信頼性を確保し、信頼性の高い食器洗い機を提供することを目的としている。
【００１０】
【課題を解決するための手段】
本発明は上記目的を達成するために、食器等を出し入れする開口部を有する洗浄槽の開口部を蓋体により開閉し、電線を接続した制御手段により洗浄槽における運転動作を制御するよう構成し、電線は蓋体の開閉時に、その屈曲方向に負荷がかからない方向に配設したものである。
【００１１】
これにより、食器を出し入れするため蓋体を開閉することにより発生する電線の屈曲時の負荷を低減することができるため、電線の劣化を防止し、電線の信頼性を確保することができ、操作性がよく信頼性の高い食器洗い機を提供することができる。
【００１２】
【発明の実施の形態】
本発明の請求項１に記載の発明は、食器等を出し入れする開口部を有する洗浄槽と、前記開口部を開閉する蓋体と、前記洗浄槽における運転動作を制御する制御手段と、この制御手段に接続された電線とを備え、前記電線は前記蓋体の開閉時に、その屈曲方向に負荷がかからない方向に配設したものであり、食器を出し入れするため蓋体を開閉することにより発生する電線の屈曲時の負荷を低減することができるため、電線の信頼性を確保することができ、操作性がよく信頼性の高い食器洗い機を提供することができる。
【００１３】
請求項２に記載の発明は、食器等を出し入れする開口部を有する洗浄槽と、前記開口部を開閉する蓋体と、この蓋体内に設けた制御手段と、前記洗浄槽の下部に設けた洗浄ポンプ等の電装部品と、前記制御手段と前記電装部品を接続する電線とを備え、前記電線はその一部が前記蓋体の回転中心軸線上またはその近傍で回転中心軸線方向に長く配設したものであり、蓋体の開閉時に、電線は蓋体の回転中心軸線方向に配設された部分の両端でねじれるため、電線への負荷を抑えることができ、電線の信頼性を確保することができるため、操作性がよく信頼性の高い食器洗い機を提供することができる。
【００１４】
請求項３に記載の発明は、食器等を出し入れする開口部を有する洗浄槽と、前記開口部を開閉する蓋体と、この蓋体内に設けた操作用制御手段と、前記洗浄槽の下部に設けた運転制御用制御手段と、前記操作用制御手段と前記運転制御用制御手段を接続する電線とを備え、前記電線はその一部が前記蓋体の回転中心軸線上またはその近傍で回転中心軸線方向に長く配設したものであり、蓋体の開閉時に、電線は蓋体の回転中心軸線方向に配設された部分の両端でねじれるため、電線への負荷を抑えることができ、電線の信頼性を確保することができるとともに、蓋体の厚みを抑えることができるため、洗浄槽内有効容積が広く、信頼性の高い食器洗い機を提供することができる。
【００１５】
請求項４に記載の発明は、上記請求項１〜３のいずれかに記載の発明において、蓋体は、係止構造を解除することで、ばね材の付勢力等を利用して開放する構成としたものであり、簡易な操作で蓋体を開放することができるため、操作性がよく、信頼性の高い食器洗い機を提供することができる。
【００１６】
請求項５に記載の発明は、上記請求項１〜３のいずれかに記載の発明において、蓋体は、特定部位の牽引動作によって開放する構成としたものであり、簡易な構成で蓋体を開放することができるため、廉価で、信頼性の高い食器洗い機を提供することができる。
【００１７】
【実施例】
以下、本発明の実施例について、図面を参照しながら説明する。なお、従来例と同じ構成のものは同一符号を付して説明を省略する。
【００１８】
（実施例１）
図１および図２に示すように、蓋体１３は、洗浄槽１４の両側に設けた蝶番１５によって支持板１６を介して回転自在に支持されており、洗浄槽１４の開口部の下方の一辺を回転中心軸線１７として回動し、開口部を開閉するようにしている。蓋体１３内には制御手段１８を配置しており、洗浄槽１４の下部に配した洗浄ポンプ８をはじめとする各電装部品を制御している。
【００１９】
制御手段１８と各電装部品とを電線１９により接続し、電線１９はその一部１９ａが蓋体１３の回転中心軸線１７上に配設され、その回転中心軸線１７上に配設された略直線部分１９ａは回転中心軸線１７方向に所定の長さａを有している。また、蓋体１３の上部には把手部２０を設け、蓋体１３は、把手部（特定部位）２０の牽引動作によって開放する構成としている。他の構成は従来例と同じである。
【００２０】
上記構成において作用を説明すると、食器３を出し入れするときに、蓋体１３を開閉して、蓋体１３上に食器かご４を引き出して行う。電線１９の略直線部分１９ａは蓋体１３の回転中心軸線１７上に配設され、回転中心軸線１７方向に所定の長さａを有しているので、蓋体１３を開閉する際には、その両端部分２１ａおよび２１ｂにおいては、電線１９は屈曲されることなく、蓋体１３内部の電線１９ｂと略直線部分１９ａ、および、下方の電線１９ｃと略直線部分１９ｂがそれぞれねじられる状態となる。これにより電線１９が屈曲により劣化するのを低減させることができる。なお、所定の長さａは、その両端２１ａおよび２１ｂでねじられて、電線１９の屈曲を吸収できる寸法であればよい。
【００２１】
また、蓋体１３の開閉は把手部２０を牽引することで行うため、比較的簡易な構成で実現できる。
【００２２】
このように本実施例によれば、電線１９を接続した制御手段１８により洗浄槽１４における運転動作を制御するよう構成し、電線１９は蓋体１３の開閉時に、その屈曲方向に負荷がかからない方向に配設したので、食器３を出し入れするため蓋体１３を開閉することにより発生する電線１９の屈曲時の負荷を低減することができるため、電線１９の信頼性を確保することができ、操作性がよく信頼性の高い食器洗い機を提供することができる。
【００２３】
また、蓋体１３内に設けた制御手段１８と洗浄槽１４の下部に設けた洗浄ポンプ８等の電装部品とを電線１９により接続し、電線１９はその一部が蓋体１３の回転中心軸線１７上またはその近傍で回転中心軸線方向に長く配設したので、蓋体１３の開閉時に、電線１９は蓋体１３の回転中心軸線１７の方向に配設された部分の両端でねじれるため、電線１９への負荷を抑えることができ、電線１９が屈曲により劣化するのを防止できる。したがって、電線１９の信頼性を確保することができるため、操作性がよく信頼性を高めることができる。
【００２４】
また、蓋体１３は、把手部２０の牽引動作によって開放する構成としたので、簡易な構成で蓋体１３を開放することができるため、廉価で、信頼性の高い食器洗い機を提供することができる。
【００２５】
なお、本実施例では、電線１９はその一部１９ａが蓋体１３の回転中心軸線１７上を回転中心軸線方向に長く配設しているが、回転中心軸線１７の近傍で回転中心軸線方向に長く配設してもよく、同様の作用、効果を得ることができる。
【００２６】
（実施例２）
図３に示すように、蓋体２２は、洗浄槽１４の開口部を開閉するもので、この蓋体２２内には操作用制御手段２３を配置しており、この操作ボタン、進行表示等を有する操作用制御手段２３と、洗浄槽１４の下部に配し厚さの厚い電源トランス等を有する運転制御用制御手段２４とを電線２５により接続し、電線２５はその一部２５ａが蓋体２２の回転中心軸線（図示せず）上に配設され、その回転中心軸線上に配設された略直線部分２５ａは回転中心軸線方向に所定の長さを有している。
【００２７】
また、蓋体２２の上部にはラッチ２６を回転自在に設けてあり、ばね材２７によって上方向に付勢しており、押しボタン２８を押すことでラッチ２６が動作する構成としている。ラッチ２６と相対して係合する本体側にはラッチ受け部２９を設けている。他の構成は上記実施例１と同じである。
【００２８】
上記構成において作用を説明すると、食器３を出し入れするときに、蓋体２０を開閉して、蓋体２２上に食器かご４を引き出して行う。電線２５の略直線部分２５ａは、上記実施例１と同様に、蓋体２２の回転中心軸線上に配設され、回転中心軸線方向に所定の長さを有しているので、蓋体２２を開閉する際には、その略直線部分２５ａの両端においては、電線２５は屈曲されることなく、蓋体２２内部の電線２５ｂと略直線部分２５ａ、および、下方の電線２５ｃと略直線部分２５ｂが、それぞれねじられる状態となる。これにより電線２５が屈曲により劣化するのを低減させることができる。なお、所定の長さは、実施例１と同様に、両端でねじられて電線２５の屈曲を吸収できる寸法であればよい。また、蓋体２２内には、運転制御用制御手段２５より薄い操作用制御手段２３を配置しているため、蓋体２２の厚みを薄くすることができ、洗浄槽１４の内容積を広く確保することができる。
【００２９】
また、蓋体２２の開閉は、押しボタン２８を押すことでばね材２７のばね力に抗してラッチ２６を動作させ、ラッチ受け部２９との係合を解除することにより行うため、比較的簡易な操作で蓋体２２を開閉できる。
【００３０】
このように本実施例によれば、蓋体２２内に設けた操作用制御手段２３と、洗浄槽１４の下部に設けた運転制御用制御手段２４とを電線２５により接続し、電線２５はその一部が蓋体２２の回転中心軸線上で回転中心軸線方向に長く配設したので、蓋体２２の開閉時に、電線２５は蓋体２２の回転中心軸線方向に配設された部分の両端でねじれるため、電線２５への負荷を抑えることができ、電線２５が屈曲により劣化するのを防止できる。したがって電線２５の信頼性を確保することができるとともに、蓋体２２の厚みを抑えることができるため、洗浄槽１４内有効容積が広く、信頼性の高い食器洗い機を提供することができる。
【００３１】
また、蓋体２２は、係止構造を解除することで、ばね材２７の付勢力等を利用して開放する構成としたので、簡易な操作で蓋体２２を開放することができるため、操作性がよく、信頼性の高めることができる。
【００３２】
なお、本実施例では、電線２５はその一部２５ａが蓋体２２の回転中心軸線上を回転中心軸線方向に長く配設しているが、回転中心軸線の近傍で回転中心軸線方向に長く配設してもよく、同様の作用、効果を得ることができる。
【００３３】
また、蓋体２２の係止構成やばね材２７による付勢方法は、他の構成を用いても、同様の効果が得られるのはいうまでもない。
【００３４】
【発明の効果】
以上のように本発明の請求項１に記載の発明によれば、電線を接続した制御手段により洗浄槽における運転動作を制御するよう構成し、電線は蓋体の開閉時に、その屈曲方向に負荷がかからない方向に配設したから、食器を出し入れするため蓋体を開閉することにより発生する電線の屈曲時の負荷を低減することができるため、電線の信頼性を確保することができ、操作性がよく信頼性の高い食器洗い機を提供することができる。
【図面の簡単な説明】
【図１】本発明の第１の実施例の食器洗い機の縦断面図
【図２】同食器洗い機の要部斜視図
【図３】本発明の第２の実施例の食器洗い機の縦断面図
【図４】従来の食器洗い機の縦断面図
【符号の説明】
３  食器
１３  蓋体
１４  洗浄槽
１８  制御手段
１９  電線
【図１】
2004321464.tif 000003
【図２】
2004321464.tif 000004
【図３】
2004321464.tif 000005
【図４】
2004321464.tif 000006